(57)【要約】      （修正有）【課題】穴をあけたい部分の土を容易に、且つ確実に抜き取ることができる刃付土取機を提供する。【解決手段】上部にハンドルを有する本体３と、この本体３で土中に押し込む筒体２０とを有し、この筒体２０は、筒体２０の内面との間に所定の隙間を空けてこの筒体２０内を軸方向に移動する押圧体１１を有し、この押圧体１１は、前記筒体２０の先端方向に向けて尖ったテーパ状の錐体１６を下部に具備している。【選択図】図２
0003150644.tif 000002
【実用新案登録請求の範囲】
【請求項１】
上部にハンドルを有する本体と、該本体で土中に押し込む筒体とを有し、
該筒体は、該筒体の内面との間に所定の隙間を空けて該筒体内を軸方向に移動する押圧体を有し、
該押圧体は、前記筒体の先端方向に向けて尖ったテーパ状の錐体を下部に具備していることを特徴とする刃付土取機。
【請求項２】
前記押圧体は、上部に、前記筒体の内面との間に所定の隙間を有する円板を具備している請求項１に記載の刃付土取機。
【請求項３】
前記錐体は、多角錐体である請求項１又は請求項２に記載の刃付土取機。
【請求項４】
前記押圧体は、前記筒体の上方へ付勢する付勢手段を有し、該付勢手段は、上端に、該付勢手段に抗して前記押圧体を筒体の下方へ移動させる足踏みプレートを具備している請求項１〜３のいずれか１項に記載の刃付土取機。
【請求項５】
前記筒体は、下向きに尖った複数の刃を下端に有し、該刃は、筒体の軸方向に高低差を交互に有している請求項１〜４のいずれか１項に記載の刃付土取機。
【請求項６】
前記本体と筒体との間を着脱可能に構成し、前記本体は、直径の異なる筒体に応じて取付位置を変更できる取付部を具備している請求項１〜５のいずれか１項に記載の刃付土取機。
【考案の詳細な説明】
【技術分野】
【０００１】
本考案は、ポット等を使って生育させた野菜の苗等を畑等に植え替えるときに、畑等の地面に所定の大きさの穴をあける刃付土取機に関する。
【背景技術】
【０００２】
従来、ポットや苗床等を使って生育させた野菜や花、果物等の苗（この明細書及び実用新案登録請求の範囲の書類中では、総称して「ポット苗」という）を、生育のそろった状態で畑等に植え替えることにより、生育初期の生長がゆっくりな時期における除草作業等を軽減させている。
【０００３】
このようなポット苗の植え替えは、例えば、野菜のポット苗を例にすると、図５(a) 〜(c) のポット苗の植え替え例を示す側面図のように、畑の畝１００の上部にポリエチレンシート１０１等を被せ、その畝１００の所定位置に穴１０２をあけ、その穴１０２に生育させたポット苗１０３の苗１０４をポット１０５から出して入れ、苗１０４と穴１０２の隙間に土１０６を戻すことによって完了する。
【０００４】
このようにポット苗を植え替えるために畝に穴をあける先行技術として、ハンドルの先端に、先がやや細くなった筒を設け、ハンドルを持って筒の先端で土に穴をあけて切り取り、その切り取った筒内の土を中央の排土板で落とせるようにした植え穴掘り器がある（例えば、特許文献１参照）。
【先行技術文献】
【特許文献】
【０００５】
【特許文献１】特開２００３−３０４７１１号公報
【考案の概要】
【考案が解決しようとする課題】
【０００６】
しかしながら、上記植え穴掘り器の場合、乾いた土も突き棒で突く平板状の排土板で押して固めるものであり、土の乾き程度によっては筒の内部に土を保持することが難しく、切り取ることができない場合がある。しかも、先端が先細りになっているので、筒を押し込む時に筒で周囲の土を押圧するので、押し込み作業に労力を要する。
【０００７】
一方、上記ポット苗は、野菜の種類に応じて複数種類の大きさがあり、それぞれの穴の大きさとして、例えば、タマネギ、唐辛子等は６０ｍ/ｍ、キュウリ等は８０ｍ/ｍ、イチゴ等は１００ｍ/ｍ、白菜、カボチャ等は１２０ｍ/ｍの穴をあけて植えられるので、それら複数種類の穴があけられるようにしなければならないが、上記特許文献１ではそれぞれの直径の穴をあける複数の植え穴掘り器を用意しなければならない。
【０００８】
そこで、本考案は、穴をあけたい部分の土を容易に、且つ確実に抜き取ることができる刃付土取機を提供することを目的とする。
【課題を解決するための手段】
【０００９】
前記目的を達成するために、本考案は、上部にハンドルを有する本体と、該本体で土中に押し込む筒体とを有し、該筒体は、該筒体の内面との間に所定の隙間を空けて該筒体内を軸方向に移動する押圧体を有し、該押圧体は、前記筒体の先端方向に向けて尖ったテーパ状の錐体を下部に具備している。この明細書及び実用新案登録請求の範囲の書類中における「錐体」は、円錐、三角錐、四角錐等、先端が尖った錐体であればよい。これにより、筒体を土中に押し込み、押圧体で筒体内の土を上方から押圧すれば、先端が下方に向けて尖った錐体のテーパ面によって筒体内の土が満遍なく斜め下方へ押圧されて筒体内面との間で圧縮されて筒体の内部に保持することができるので、筒体内の土を筒体の内面に密着させて安定して抜き取ることができ、効率良くポット苗の植え替え作業を行うことが可能となる。しかも、土が抜けにくい場合には、ハンドルを回して筒体を回動させることで、筒体内の土を周囲の土から分離することが容易にできる。
【００１０】
また、前記押圧体は、上部に、前記筒体の内面との間に所定の隙間を有する円板を具備していてもよい。このようにすれば、押圧体を土中に押し込むことにより、筒体内の土の一部が円板と筒体の内面との間から円板上に出て、この円板上の土で筒体内の土を保持するようにして一体的に抜き取ることが安定してできる。
【００１１】
さらに、前記錐体は、多角錐体であるのが好ましい。このようにすれば、多角錐体の多数のテーパ面で筒体内の土を筒体内面に向けて押圧するので、筒体内の土を安定して筒体内面に押圧して、その土を筒体と一体的に抜き取ることが安定してできる。
【００１２】
また、前記押圧体は、前記筒体の上方へ付勢する付勢手段を有し、該付勢手段は、上端に、該付勢手段に抗して前記押圧体を筒体の下方へ移動させる足踏みプレートを具備していてもよい。このようにすれば、押圧体は常に筒体上部に位置し、筒体を土中に押し込むときに押圧体は所定位置で浮いた状態となり、筒体を土中に押し込んだ後、足踏みプレートを踏めば押圧体で筒体内の土を筒体内面に向けて押圧して保持することができる。
【００１３】
さらに、前記筒体は、下向きに尖った複数の刃を下端に有し、該刃は、筒体の軸方向に高低差を交互に有していてもよい。このようにすれば、筒体を土中へ押し込むときに、高い刃が押し込まれた後に低い刃が押し込まれるので、押し込み時の負荷が小さくなって、所望の位置へ押し込む動作を安定して行うことができる。
【００１４】
また、前記本体と筒体との間を着脱可能に構成し、前記本体は、直径の異なる筒体に応じて取付位置を変更できる取付部を具備していてもよい。このようにすれば、ポット苗の径に応じて直径の異なる筒体を本体に取付けることができ、例えば、タマネギ、唐辛子等は６０ｍ/ｍ、キュウリ等は８０ｍ/ｍ、イチゴ等は１００ｍ/ｍ、白菜、カボチャ等は１２０ｍ/ｍの穴をあけて効率良く苗を植え替えることができる。
【考案の効果】
【００１５】
本考案は、以上説明したような手段により、ポリエチレンシート等を被せた畝等に苗等を植え替える時に、ポリエチレンシート等と共に土を抜き取って所定径の穴をあけることが容易にできるので、苗等の植え替え作業等が迅速容易となる。
【図面の簡単な説明】
【００１６】
【図１】本考案の一実施の形態を示す刃付土取機の斜視図である。
【図２】図１に示す刃付土取機の先端部分の側面図である。
【図３】図２に示す刃付土取機の下面図である。
【図４】(a) 〜(d) は、図１に示す刃付土取機の使用工程を示す側面図である。
【図５】(a) 〜(c) は、ポット苗の植え替え例を示す側面図である。
【考案を実施するための形態】
【００１７】
以下、本考案の一実施の形態を図面に基づいて説明する。図１は、本考案の一実施の形態を示す刃付土取機の斜視図であり、図２は、図１に示す刃付土取機の先端部分の側面図、図３は、図２に示す刃付土取機の下面図である。なお、この明細書及び実用新案登録請求の範囲の書類中では、図１に示す刃付土取機１の使用状態におけるハンドル方向を「上方」、筒体方向を「下方」又は「先端方向」という。
【００１８】
図１に示すように、刃付土取機１は、上部に水平方向に延びるハンドル２を有する本体３と、この本体３の下部に取り付けられた筒体２０とを有している。本体３は、ハンドル２の中央部から下方に向けて柄部４が形成され、その下部に筒体２０を取付けるための筒体取付部５が形成されている。この実施の形態では、筒体２０は一定径の円筒体に形成されている。上記筒体取付部５は、柄部４の下部に設けられた逆Ｕ字形の枠体６の下端に水平状に設けられている。
【００１９】
上記枠体６は、作業者が靴先を挿入できる大きさの空間である靴挿入部６ａを形成するものであり、この靴挿入部６ａには足踏みプレート１０が設けられ、この足踏みプレート１０は、筒体取付部５を介して上記筒体２０の内部に設けられた押圧体１１と連結軸１２で連結されている。この連結軸１２は、筒体取付部５に設けられた貫通孔７に挿通されている。この足踏みプレート１０と筒体取付部５との間の連結軸１２にはスプリング１３が挿入されており、このスプリング１３によって足踏みプレート１０は常に筒体取付部５から離れた位置となるように付勢されている。これにより、押圧体１１は、常に筒体２０の上方へ付勢され、足踏みプレート１０を踏めば筒体２０の下方へ移動させることができるようになっている。
【００２０】
さらに、連結軸１２の両側部に２本の案内軸１４が設けられており、筒体取付部５に設けられた案内孔８に挿通されている。この案内軸１４と上記連結軸１２とを筒体取付部５の案内孔８と貫通孔７とに挿通させて案内させることにより、足踏みプレート１０を踏む操作によって押圧体１１が筒体２０の軸方向に安定して移動するようにしている。
【００２１】
図２にも示すように、上記筒体取付部５には、筒体２０の上部にボルト２１で固定された取付ボルト２２を挿入して固定する長孔９が設けられている。この長孔９は、筒体取付部５の長手方向に延びるように２箇所に設けられており、筒体２０の上部に設けられた２本の取付ボルト２２を挿入してナット２３で筒体取付部５に固定するようになっている。
【００２２】
この筒体取付部５と筒体２０との間は着脱可能に構成されており、直径の異なる筒体２０に変更する場合、長孔９に挿入して固定する取付ボルト２２のナット２３を外すことにより、直径の異なる筒体２０の取付ボルト２２を長孔９に挿入して固定できるようにしている。この部分が、筒体２０に応じて取付位置を変更できる取付部である。
【００２３】
一方、上記押圧体１１は、下向きに尖った錐体１６を下面に有しており、錐体１６の下端が筒体２０の中心部に位置するように複数のテーパ面をもっている。この押圧体１１は、筒体２０の軸心と同軸上となるように配置されており、下面に設けられた錐体１６の下端は筒体２０の略軸心に位置するようになっている。これにより、錐体１６を下向きに移動させることで、その複数のテーパ面によって筒体２０内の土を満遍なく筒体内面に向けて押圧するようにしている。この錐体１６の上部には、所定径の円板１５が設けられている。
【００２４】
また、上記スプリング１３は、所定の高さに形成された圧縮スプリングであり、上記連結軸１２に挿通させて足踏みプレート１０を支持した状態で、上記押圧体１１の上端に設けられた円板１５の上面が筒体２０の上端から所定量下がった段差２６が形成されるようになっている。この状態では、押圧体１１の上向き移動はフリーの状態で、下向きにはスプリング１３の付勢力が作用するようになっている。このスプリング１３が、上記押圧体１１を上方へ付勢する付勢手段であり、この実施の形態では、圧縮スプリング１３の高さを決定することにより、足踏みプレート１０と連結軸１２で連結された押圧体１１を筒体２０の上端から所定量下がった段差２６を形成して保持するようにしている。この段差２６は、後述するように押圧体１１を筒体２０内に押圧したときに押圧体１１の上方へ出た土１０６を保持できる段差２６に設定される。
【００２５】
さらに、上記した案内軸１４は、足踏みプレート１０から筒体取付部５の案内孔８に挿通されて押圧体１１の上面近傍まで延びており、足踏みプレート１０の上下動と一体的に押圧体１１が筒体２０内で上下動するようになっている。
【００２６】
また、上記筒体２０の下端には刃２４が設けられている。この実施の形態では、軸方向に高い刃２４ａと、低い刃２４ｂとが交互に設けられている。このように刃２４ａ，２４ｂの高さを交互に異ならせることにより、筒体２０を土中へ押し込むときに、高い刃２４ａが先に土中に押し込まれた後に低い刃２４ｂが押し込まれるので、押し込み初期の負荷を小さくして、所望の位置へ押し込む動作を安定して行えるようにしている。
【００２７】
図３に示すように、上記錐体１６は、この実施の形態では四角錐となっており、この錐体１６の上部に上記円板１５が設けられ、この円板１５と筒体２０の内面との間には所定の隙間２５が設けられている。この隙間２５は、錐体１６を下向きに移動させた時に筒体２０内の土が円板１５の上方へ出るような隙間に設定され、筒体２０を交換して直径が変更されれば変わる。
【００２８】
図４(a) 〜(d) は、図１に示す刃付土取機の使用工程を示す側面図である。以上のように構成された刃付土取機１によれば、以下のようにして土に穴をあけてポット苗の植え替え作業を効率良く行うことができる。なお、以下の説明も、畝１００にポリエチレンシート１０１を被せ、その所定位置に穴１０２をあけて苗１０４を植える例を説明する。以下の説明では、上述した図５(a) 〜(c) と同一の構成には同一符号を付して説明する。
【００２９】
まず、(a) に示すように、畝１００に被せたポリエチレンシート１０１の上部から、所定位置に筒体２０の先端（刃２４）を当てる。次に、(b) に示すように、ハンドル２（図１）を強く押して筒体２０を土１０６の中に押し込む。この時、筒体２０は、ポリエチレンシート１０１を突き破って土１０６の中に押し込まれる。
【００３０】
そして、(c) に示すように、足踏みプレート１０を踏んで、押圧体１１を筒体２０内の土１０６中に押し込む。これにより、筒体２０内の土１０６が錐体１６のテーパ面に沿って周囲の筒体内面方向へ押圧されると共に、一部の土１０６が円板１５と筒体２０との隙間２５から円板１５の上方へと出て、筒体２０の内面と円板１５の上面とによって筒体２０内の土１０６が筒体２０に保持される。
【００３１】
その後、(d) に示すように、ハンドル２（図１）を持って本体３を持上げることにより、筒体２０の内部に保持された土が一体的に抜き取られ、筒体２０を持上げた後に所定径の穴１０２を形成することができる。なお、上記筒体２０を押し込んだ状態で抜けにくい時には、ハンドル２（図１）を時計方向、及び反時計方向に回すことにより、筒体２０内の土１０６を周囲の土１０６から分離して抜きやすくすればよい。
【００３２】
このようにして形成された孔１０２には、上述した図５(a) 〜(c) に示すように、ポット苗１０３の苗１０４をポット１０５から出し、土を付けた状態の苗１０４を上記穴１０２内へ入れて、上記筒体２０で抜いた土１０６を苗１０４の周囲に戻せば苗１０４の植え替えが完了する。
【００３３】
以上のように、上記刃付土取機１によれば、筒体２０を押し込んだ部分の様々な状態の土１０６を安定して抜き取ることができるので、種々の苗の植え替え作業を効率良く行うことが可能となる。
【００３４】
しかも、足踏みプレート１０を踏むことで筒体２０内の土１０６の抜き取り作業を確実に行えるので、効率良く土１０６を抜き取ることが可能となり、多数のポット苗の植え替え作業でも労力を大幅に軽減することができる。
【００３５】
なお、前記実施の形態では、四角錐の錐体１６を例に説明したが、他の形態の錐体であっても同様に筒体２０内の土１０６を筒体２０の内面に押圧して保持することができ、錐体１６の形態は上記実施の形態に限定されるものではない。
【００３６】
また、上記実施の形態は一例を示しており、本考案の要旨を損なわない範囲での種々の変更は可能であり、本考案は前述した実施の形態に限定されるものではない。
【産業上の利用可能性】
【００３７】
本考案に係る刃付土取機は、ポット苗等を植え替えるための穴を畝等に効率良くあけたい場合に利用できる。
【符号の説明】
【００３８】
１  刃付土取機
２  ハンドル
３  本体
４  柄部
５  筒体取付部
６ａ  靴挿入部
７  貫通孔
８  案内孔
９  長孔
１０  足踏みプレート
１１  押圧体
１２  連結軸
１３  スプリング
１４  案内軸
１５  円板
１６  錐体
２０  筒体
２１  ボルト
２２  取付ボルト
２３  ナット
２４  刃
２４ａ  高い刃
２４ｂ  低い刃
２５  隙間
２６  段差
【図１】
0003150644.tif 000003
【図２】
0003150644.tif 000004
【図３】
0003150644.tif 000005
【図４】
0003150644.tif 000006
【図５】
0003150644.tif 000007